(57)【要約】      （修正有）【課題】引き出しなどに入れておくと使用するとき取り出しに手間であり、また胸ポケット等に差して置くと転倒した時など危険があったので、これを改善するため置く場所の制限を広げ、容易に使用できるものとした。【解決手段】カッターに磁石をつけることで、金属のある部分に貼り付けて置くことで容易取り出し、収納が可能である。また使用に関しても今までのカッターは言わば２段階になっており、親指等でカッターの芯をスライドさせた後に、持ち直して使用するものであったが、本器具は１段階ですぐに使用できるものである。【選択図】図１
2010000320.tif 000002
【特許請求の範囲】
【請求項１】
本器具はカッターナイフに磁石をつけたもので通常のカッターナイフより更に容易に片手で使用し易い様にしたものである
【発明の詳細な説明】
【技術分野】
【０００１】本発明はカッターナイフに関する技術分野
【背景技術】
【０００２】従来カッターナイフは長細いタイプのものが知られている
【特許文献１】特開２００６−２２３４６８号公報
【発明の開示】
【発明が解決しようとする課題】
【０００３】通常のカッターナイフは長細いタイプでスライド式のものがあるが、引き出しやペン立てに置いているが使う際にペンやものさし等に混ざり見つけ難かったり、取り出し難かったりした。引き出しなどに入れておくと使用するとき取り出しに手間であり、また胸ポケット等に差して置くと転倒した時など危険があったのでこれを改善するため置く場所の制限を広げるのと容易に使用できるものを課題とした。
【課題を解決するための手段】
【０００４】上記の課題を解決するための請求講１の発明は、カッターに磁石をつけることで金属のある部分に貼り付けて置くことで容易取り出し、収納が可能なものである。【０００５】また使用に関しても今までのカッターは言わば２段階になっており親指等でカッターの刃をスライドさせた後に持ち直して使用するものであったが、本器具は１段階ですぐに使用できるものである
【発明の効果】
【０００６】本発明でカッターを持ち歩き転倒時などの危険リスクを減らせ、また収納場所を引き出しやペン立てに限定することなく鉄製の引き出し、棚等があるところならくっつけて置くことができるものである
【発明の実施するための最良の形態】
【０００７】本体には１のように裏面に磁石がついており容易に使用、収納できるものである
【０００８】２の部分に指を入れ、拳を握ることでカッター刃の部分が出てきてすぐに使用出来るものである
【産業上の利用可能性】
【００９】本発明に係る磁石を付きカッターは工業的に量産する事が可能であるため、産業上の利用可能性を有する。
【図面の簡単な説明】
【００１０】
【図１】外見図
【図２】使用前内部図
【図３】使用時内部図
【図４】使用前側面図
【図５】使用時族面図
【図６】取替え部図
【図７】上方図
【符号の説明】
【００１１】１    磁石部
２    指入れ部
３    刃部
４    伸縮部
５    安全ボタン
【図１】
2010000320.tif 000003
【図２】
2010000320.tif 000004
【図４】
2010000320.tif 000005
【図６】
2010000320.tif 000006
【図７】
2010000320.tif 000007
【手続補正書】
【提出日】平成20年8月27日(2008.8.27)
【手続補正２】
【補正対象書類名】図面
【補正対象項目名】全図
【補正方法】変更
【補正の内容】
【図１】
2010000320.tif 000008
【図２】
2010000320.tif 000009
【図３】
2010000320.tif 000010
【図４】
2010000320.tif 000011
【図５】
2010000320.tif 000012
【図６】
2010000320.tif 000013
【図７】
2010000320.tif 000014
【手続補正書】
【提出日】平成20年10月24日(2008.10.24)
【手続補正１】
【補正対象書類名】特許請求の範囲
【補正対象項目名】全文
【補正方法】変更
【補正の内容】
【特許請求の範囲】
【請求項１】
本器具はカッターナイフ本体部分に磁石、磁石シート又は粘着性シート等を取り付けることで鉄製棚等、又は壁等にはり付けて置くことが出来るものである。
【請求項２】
本器具は本体部内部にバネやゴム等の伸縮性のあるものを設置しておき、本器具の上側にある指入れ部を引く（拳を握る）ことにより内部の伸縮部を縮ませて刃部を出し使用、また指入れ部を離すことで刃部を収納出きるこの一連の動きを特徴としたものである。
【手続補正２】
【補正対象書類名】明細書
【補正対象項目名】全文
【補正方法】変更
【補正の内容】
【発明の詳細な説明】
【技術分野】
【０００１】本発明は伸縮性部位をつけることでカッターの使用が即座に出来るようにしたカッターナイフに関する技術分野
【背景技術】
【０００２】従来カッターナイフは長細いタイプのものが知られている
【特許文献１】特開２００６−２２３４６８号公報
【発明の開示】
【発明が解決しようとする課題】
【０００３】通常のカッターナイフは長細いタイプでスライド式のものがあるが、引き出しやペン立てに置いているが使う際にペンやものさし等に混ざり見つけ難かったり、取り出し難かったりする、引き出しなどに入れておくと使用するとき取り出しが手間であり、また胸ポケット等に差して置くと転倒した時など危険があったので、これを改善するため置く場所の範囲を広げるのを目的として、また容易に使用できるものを課題とした。
【課題を解決するための手段】
【０００４】上記の課題を解決するための請求項１の発明は、カッターに磁石や粘着性シート等をつけることで金属のある部分、またはその他の壁等にはり付けて置くことで容易に使用、収納が可能なものである。【０００５】また使用に関しても今までのカッターは刃を親指等でスライドさせた後に持ち直して使用する言わば２段階になっていたが、本器具の請求項２においてバネやゴム等の伸縮部位を付けることで１段階にして即座に使用できるものである。
【発明の効果】
【０００６】本発明でカッターを持ち歩き転倒時などに身体を傷つける危険リスクを減らせ、また収納場所を引き出しやペン立てに限定することなく鉄製の引き出しや棚等、または壁等にはりつけて置くことが出来て安全性と使用性を広げたものでる。
【発明の実施するための最良の形態】
【０００７】本体には１のように裏面に磁石、磁石シート、又は粘着性シート等がついており鉄製の棚等、壁部を使用することで容易に使用、収納出来るものである。
【０００８】２の部分に指を入れ、拳を握ることでカッター刃の部分が出てきてすぐに使用出来るものである。
【産業上の利用可能性】
【０００９】本発明に係る磁石を付きカッターは工業的に量産する事が可能であるため、産業上の利用可能性を有する。
【図面の簡単な説明】
【００１０】
【図１】外見図
【図２】使用前内部図
【図３】使用時内部図
【図４】使用前側面図
【図５】使用時側面図
【図６】取替え部図
【図７】上方視点図
【符号の説明】
【００１１】１    磁石部（粘着シート部）
２    指入れ部
３    刃部
４    伸縮部（バネ等）
５    安全ボタン
６    滑り止め部
７    本体部
８    取替え刃部
【手続補正３】
【補正対象書類名】図面
【補正対象項目名】全図
【補正方法】変更
【補正の内容】
【図１】
2010000320.tif 000015
【図２】
2010000320.tif 000016
【図３】
2010000320.tif 000017
【図４】
2010000320.tif 000018
【図５】
2010000320.tif 000019
【図６】
2010000320.tif 000020
【図７】
2010000320.tif 000021